(57)【特許請求の範囲】
【請求項１】
コンクリートを打設してスラブを形成するときに、そのコンクリ−トに埋め込まれるスラブ用埋込材をスラブの下枠から浮かせた状態に固定するスラブ用埋込材の取付具であって、
前記下枠に立設される支軸と、当該支軸の上端部に嵌め合わされて埋込材の上面を押さえつけるビンディングフランジからなり、
前記支軸を前記埋込材の上下に貫通させたときに当該埋込材を所定の高さに浮かせるスペーサフランジが当該支軸に形成され、
前記支軸の上端部には、前記ビンディングフランジを差し込むだけで互いに係合され、該ビンディングフランジを上方へ抜脱不能に保持する大径部を備えたロック機構が形成されたことを特徴とするスラブ用埋込材の取付具。
【請求項２】
前記支軸の下端部を差し込む台座が前記下枠に固定され、当該台座及び支軸の一方を他方に差し込むだけで互いに係合されて当該支軸を上方へ抜脱不能に保持するロック機構が形成された請求項１記載のスラブ用埋込材の取付具。
【請求項３】
前記台座が、前記下枠に形成されたボルト孔に挿し込むインサートパイプを備え、当該パイプ内に下枠の下面側から挿通されるボルトに螺合される雌ネジが形成されて成る請求項２記載のスラブ用埋込材の取付具。
【発明の詳細な説明】
【０００１】
【発明の属する技術分野】
本発明は、コンクリートを打設してスラブを形成するときに、そのコンクリ−トに埋め込まれるスラブ用埋込材をスラブの下枠から浮かせた状態に固定するスラブ用埋込材の取付具に関する。
【０００２】
【従来の技術】
鉄筋コンクリート造の集合住宅などの天井面は厚さ 150ｍｍ程度のスラブで形成され、当該スラブの下方に突出形成した小梁を介して大梁に荷重を伝えるようにしているのが一般的である。
【０００３】
しかし最近では、集合住宅の間取りが広くなって、スパンの大きいスラブを構築する要望が高い。
この場合に、スラブを補強する必要があるが、小梁などを大きくして補強しようとしても室内空間が狭くなってしまうことから、その大きさに限度がある。
このため、コンクリート内に中空パイプや発泡樹脂材を埋め込んでスラブを形成したボイドスラブが注目を集めている。
【０００４】
このボイドスラブは、スラブ厚を 270〜300 ｍｍと従来のスラブよりも厚くすると共に、スラブ断面中央部を中空にしたり、発泡樹脂などの軽量な非コンクリート材料を埋め込んだりすることによって、スラブを軽量強化し、長スパンのフラットスラブの構築を可能とするものである。
【０００５】
その工法として、コンクリ−トを打設してスラブの下ば部分を形成した後、その上に発泡樹脂製のスラブ用埋込材を接着して配列させて、さらにその上にコンクリートを打設する二回打設工法や、下ば筋の鉄筋にボイドとなる中空のワインディングパイプをベルトで緩く縛り付けてコンクリートを打設し、その浮力によりベルトの余裕分だけパイプを浮かせてボイドスラブを構築するワインディングパイプ工法が知られている。
【０００６】
【発明が解決しようとする課題】
しかしながら、二回打設工法は工程数が多いため、工期も長くかかって工費が嵩み、また、一回目と二回目に打設したコンクリートの境界が接着力の弱い打継ぎ面となるので、その部分が剥がれやすくなって構造上の欠陥を生ずる原因となる。
【０００７】
また、ワインディングパイプ工法はコンクリートを一回打設すれば足りるので、二回打設工法のような問題は生じないが、パイプを浮力で浮かせる関係上、ベルトを緩く縛らなければならず、コンクリートを打設したときにパイプが踊ったり波打ったりしてしまい、スラブのコンクリート厚さが不均一になって、強度が低下した部分に応力集中を起こすという構造欠陥の原因となる。
【０００８】
このため本発明者は、ボイドとなる発泡樹脂製の埋込材をスラブの下枠から浮かせた状態に固定してコンクリートを打設する工法を提案し、埋込材を下枠から浮かせた状態に固定するために図７に示すような取付具を試作した（特願平１１−１７７４６１号）。
【０００９】
この取付具４１は、下枠４０の下面側から挿通されるボルト４２に螺合される台座４３と、当該台座４３の上面側に螺合されて立設されるセパレータボルト４４と、当該セパレータボルト４４の上端に螺合されて埋込材３を所定の高さに浮かせるスペーサフランジ４５と、当該スペーサフランジ４５に螺合されて前記セパレータボルト４４を上方へ延長させるエクステンションボルト４６と、埋込材３の上面に突出したエクステンションボルト４６の上端部４６ａに螺合されて埋込材３の上面を押さえつけるビンディングフランジ４７からなる。
【００１０】
この取付具４１を用いて、例えば長方形の埋込材３の四隅を支持させれば、埋込材３は浮いた状態に確りと固定されるので、コンクリートを打設したときに埋込材３が踊ったり波打ったりすることがない。
【００１１】
しかし、取付具４１を下枠４０に固定する場合に、下枠４０の下面側から挿通されるボルト４２と台座４３、その台座４３とセパレータボルト４４、そのセパレータボルト４４とスペーサフランジ４５、そのスペーサフランジ４５とエクステンションボルト４６、そのエクステンションボルト４６とビンディングフランジ４７の各部材同士の接続部分５ヶ所をすべて螺合させなければならない。
しかも、この作業を１フロアー当たり数百セットずつ行なうので、その固定作業が極めて面倒で時間がかかるため、その分、人件費が嵩み、建築コストが高くなるという問題を生じた。
【００１２】
そこで本発明は、取付具及び埋込材の固定作業を極めて簡素化し、その作業時間を短縮して人件費を抑えることにより、建築コストを軽減することを技術的課題としている。
【００１３】
【課題を解決するための手段】
この課題を解決するために、本発明は、コンクリートを打設してスラブを形成するときに、そのコンクリ−トに埋め込まれるスラブ用埋込材をスラブの下枠から浮かせた状態に固定するスラブ用埋込材の取付具であって、前記下枠に立設される支軸と、当該支軸の上端部に嵌め合わされて埋込材の上面を押さえつけるビンディングフランジからなり、前記支軸を前記埋込材の上下に貫通させたときに当該埋込材を所定の高さに浮かせるスペーサフランジが当該支軸に形成され、前記支軸の上端部には、前記ビンディングフランジを差し込むだけで互いに係合され、該ビンディングフランジを上方へ抜脱不能に保持する大径部を備えたロック機構が形成されたことを特徴としている。
【００１４】
本発明によれば、支軸をスラブ上に立設させ、その支軸を埋込材の上下に貫通させるように埋込材を置けば、その埋込材は支軸に形成されたスペーサフランジに載せられて、下枠から浮いた状態に配置される。
【００１５】
次いで、支軸にビンディングフランジを差し込めば、ビンディングフランジは支軸の上端部に係合されて上方へ抜脱不能に保持され、埋込材は上下をスペーサフランジとビンディングフランジに挟まれて固定されるので、コンクリートを打設することにより埋込材に浮力が作用しても、埋込材が踊ったり波打ったりすることがない。
取付具の組立作業も、下枠に支軸を立てて、ビンディングフランジを嵌め合わせるだけであるから極めて簡単である。
【００１６】
また、支軸の下端部を差し込む台座を下枠に固定しておき、台座及び支軸には互いに係合されて支軸を上方へ抜脱不能に保持するロック機構を形成しておけば、支軸を台座に差し込むだけで簡単に支軸が下枠に立設される。
【００１７】
さらに、下枠に形成されたボルト孔に挿し込むインサートパイプを台座に形成しておけば、下枠の上からインサートパイプをボルト孔に挿通して行くだけで台座を仮止めすることができるので、下枠の下から挿通するボルトで固定するときに台座が位置ずれすることがない。
したがって、従来、下枠の上と下から二人の作業者が同時に作業しなければ行なうことのできなかった台座の固定作業を、作業者一人でも極めて簡単に行なうことができる。
【００１８】
【発明の実施の形態】
以下、本発明の実施の形態を図面に基づいて具体的に説明する。
図１は本発明に係るスラブ用埋込材の取付具の一例を示す分解斜視図、図２はその断面図、図３及び図４は使用状態を示す断面図及び斜視図、図５及び図６は他の実施形態を示す説明図である。
【００１９】
図１乃至図４に示すスラブ用埋込材の取付具１は、コンクリート２を打設してスラブ４を形成するときに、そのコンクリ−ト２に埋め込まれるスラブ用埋込材３をスラブ４の下枠となる天井材５から浮かせた状態に固定するものである。
【００２０】
そして、取付具１は、天井材５の裏面に固定される台座６と、台座６に差し込まれて天井材５に立設される支軸７と、当該支軸７を埋込材３の透孔３ａ，３ｂに挿通させたときにその上端部に嵌め付けられて埋込材の上面を押さえつけるビンディングフランジ８からなる。
【００２１】
台座６は、埋込材３の配列に応じて天井材５に予め穿設されたボルト孔５ａに挿し込むインサートパイプ６ａが、天井材５に置かれるベースフランジ６ｂの底面側に形成されている。
インサートパイプ６ａはそのボルト孔５ａより若干大径に形成され、当該パイプ６ａ内には天井材５の下面側から挿通されるボルト９に螺合されるナット１０が嵌め込まれて雌ネジが形成されている。
【００２２】
また、ベースフランジ６ｂの上面側には、支軸７の下端部を差し込む差込孔６ｃが形成され、この差込孔６ｃに支軸７の下端部に形成された差込係合部７ａが係合されて、当該支軸７を上方へ抜脱不能に保持するように成されている。
【００２３】
具体的には、支軸７の差込係合部７ａは割ピンの先端が鎌首状に形成されてなり、台座６の差込孔６ｃの開口部には前記差込係合部７ａと噛み合う環状の係合突起６ｄが内側に突出して形成されている。
すなわち、支軸７の差込係合部７ａと台座６の差込孔６ｃにより、支軸７を上方へ抜脱不能に保持するロック機構が形成され、支軸７を台座６に差し込むだけで互いに係合して、支軸７が天井材５に立設されることとなる。
【００２４】
また、支軸７は、埋込材３を浮かせる所定高さの位置に埋込材３を載せるスペーサフランジ７ｂが一体形成されている。
また、スペーサフランジ７ｂより上方の長さが埋込材３の厚さよりやや長めに設定され、支軸７を埋込材３の透孔３ａ、３ｂに挿通して、その上方へ突出した差込係合部７ｃにビンディングフランジ８を装着したときに、当該ビンディングフランジ８で埋込材３の上面を押さえつけるようになされている。
【００２５】
また、ビンディングフランジ８には、支軸７の上端部に嵌め合わせる差込孔８ａが形成され、この差込孔８ａに支軸７の上端部に形成された差込係合部７ｃが係合されて、ビンディングフランジ８を上方へ抜脱不能に保持するように成されている。
【００２６】
この差込係合部７ｃも、下端側の差込係合部７ａと同様に割ピンの先端が鎌首状に形成されてなり、ビンディングフランジ８の差込孔８ａの上端開口部８ｂと係合するように成されている。
すなわち、支軸７の上端部には、ビンディングフランジ８を嵌め合わせるだけで互いに係合され、該ビンディングフランジ８を上方へ抜脱不能に保持する大径部となる差込係合部７ｃが形成されており、この支軸７の差込係合部７ｃとビンディングフランジ８の差込孔８ａとでロック機構が形成され、支軸７に係合されたビンディングフランジ８が埋込材３の上面を押さえつける。
これにより、埋込材３の上下が、スペーサフランジ７ｃとビンディングフランジ８に挟まれて、天井材５から浮いた状態に固定される。
【００２７】
なお、スラブ用埋込材３は、例えば幅７００ｍｍ×長さ１２００ｍｍ×厚さ１００ｍｍ程度の厚肉板状の発泡樹脂材で形成され、長手方向の両端部に互いに連結する相じゃくり面３Ａ、３Ｂが形成され、当該相じゃくり面３Ａ、３Ｂに取付具１を挿通する透孔３ａ、３ｂが穿設されている。
また、中心線上には、打設時にコンクリート２の回り込みを確認する窓孔３Ｃが穿設されている。
【００２８】
天井材５は、壁紙やクロスなどのシート状内装仕上げ材が直張可能な耐力面材で形成された内装用下地ボード１１を発泡樹脂パネル１２の片面に板張りして形成されている。
また、１３は下ば筋となる鉄筋、１４は上ば筋となる鉄筋、１５はあばら筋となる鉄筋である。
【００２９】
以上が、本発明の構成例であって、次にその作用を説明する。
まず、スラブ４の下枠となる天井材５を所定の高さに支持させた状態で、天井材５に穿設されたボルト孔５ａに、その上方から台座６のインサートパイプ６ａを差し込んで行く。
このインサートパイプ６ａはボルト孔５ａより若干大径に形成されているので、発泡樹脂パネル１２で形成された天井材５の上面側から押し込むだけで台座６が天井材５に仮止めされる。
【００３０】
次いで、台座６の差込孔６ｃに支軸７下端の差込係合部７ａを差し込むと、差込係合部７ａと差込孔６ｃの係合突起６ｄが噛み合い、支軸７が上方へ抜脱不能に保持されて台座６上に立設される。
そして、全ての台座６に支軸７を立設した後、スラブ用埋込材３の透孔３ａ、３ｂに支軸７を挿通させるように埋込材３を並べてゆくと、埋込材３は支軸７のスペーサフランジ７ｂに載せられて天井材５から所定の高さに浮かせた状態に配置される。
【００３１】
この埋込材３の配列が終了した後、埋込材３から突出した支軸７上端の差込係合部７ｃにビンディングフランジ８の差込孔８ａを合わせて装着すると、ビンディングフランジ８が上方に抜脱不能に保持され、埋込材３が押さえつけられる。
【００３２】
この後、天井材５の下側から、各ボルト孔５ａにボルト９を挿通し、台座６のインサートパイプ６ａ内に配されたナット１０に螺合させれば、台座６は位置ずれすることがなく天井材５に簡単に固定できるので、取付具１及び埋込材３の固定作業を作業者一人でも行なうことができる。
【００３３】
そして、このように取付具１及び埋込材３を固定した後、コンクリート２を打設する。
埋込材３は、取付具１によりスペーサフランジ７ｂとビンディングフランジ８に挟まれて、天井材５から浮いた状態に固定されているので、コンクリート２を打設することにより浮力が作用しても、埋込材３が踊ったり波打ったりすることがなく、均質なスラブ４を構築することができる。
【００３４】
このように、取付具１は、ボルト９と、台座６と、支軸７と、ビンディングフランジ８の４つの部材のみからなり、固定作業は、ボルト９と台座６の１ヶ所をネジ止めし、台座６と支軸７、支軸７とビンディングフランジ８の２ヵ所を差し込んで係合させるだけで足りるので、その作業が極めて簡単になる。
【００３５】
なお、台座６の差込孔６ｃと支軸７下端の差込係合部７ａの形状構造は、上述の説明に限るものではなく、支軸７を上方へ抜脱不能に係合させるものであれば、その形状構造は問わない。
また、支軸７上端の差込係合部７ｃとビンディングフランジ８の差込孔８ａの形状構造も、上述の説明に限るものではなく、ビンディングフランジ８を支軸７に差し込むだけで互いに係合されると共に、該ビンディングフランジ８の上方への抜け出しを防止する大径部を備えたロック機構を形成するものであればよい。
【００３６】
例えば、図５に示すように、台座６の差込孔６ｃに対して支軸７下端の差込係合部７ａを側方からスライドして差し入れたり、支軸７上端の差込係合部７ｃに対してスリット８ｃが形成されたビンディングフランジ８を側方からスライドして差し入れるようにしても良い。この場合において、図５に示すように、ビンディングフランジ８を楔状のテーパ面で形成すれば、埋込材３をより確実に押さえつけることができる。
さらに、取付具１は台座６と支軸７を係合させるタイプに限らず、図６に示すように、台座６と支軸７を予め一体成形する場合であっても良い。
【００３７】
【発明の効果】
以上述べたように、本発明によれば、スラブ上に支軸を立設させて、その支軸を上下に貫通させるように埋込材を置き、支軸の上端にビンディングフランジを差し込むだけで、極めて簡単に、埋込材を下枠から浮かした状態に固定することができるので、作業時間を短縮して建築コストを軽減することができるという大変優れた効果を有する。
【００３８】
また、支軸の下端部を差し込む台座を下枠に固定しておき、支軸の下端部にその台座と係合されて当該支軸を上方へ抜脱不能にロックさせる差込係合部を形成しておけば、その下端部を台座に差し込むだけで簡単に支軸を下枠に立設させることができるという効果がある。
【００３９】
さらに、下枠に穿設されたボルト孔に挿し込むインサートパイプを台座に形成しておけば、下枠の上からインサートパイプをボルト孔に挿通して行くだけで台座を仮止めすることができるので、下枠の下からボルトを挿通する際に、台座が位置ずれすることもなく、したがって簡単に台座を固定することができるという効果もある。
【図面の簡単な説明】
【図１】本発明に係るスラブ用埋込材の取付具の一例を示す分解斜視図。
【図２】その断面図。
【図３】使用状態を示す断面図。
【図４】使用状態を示す斜視図。
【図５】他の実施形態を示す説明図。
【図６】他の実施形態を示す説明図。
【図７】本発明者が試作した取付具を示す斜視図。
【符号の説明】
１………スラブ用埋込材の取付具  ２………コンクリート
３………スラブ用埋込材          ３ａ，３ｂ・・透孔
４………スラブ                  ５………天井材（下枠）
５ａ……ボルト孔                ６………台座
６ａ……インサートパイプ        ６ｃ……差込孔（ロック機構）
７………支軸                    ７ａ……差込係合部（ロック機構）
７ｂ……スペーサフランジ        ７ｃ……差込係合部（ロック機構）
８………ビンディングフランジ    ８ａ……差込孔（ロック機構）
９………ボルト                １０………ナット（雌ネジ）
【図１】
0003723876.tif 000002
【図２】
0003723876.tif 000003
【図３】
0003723876.tif 000004
【図４】
0003723876.tif 000005
【図５】
0003723876.tif 000006
【図６】
0003723876.tif 000007
【図７】
0003723876.tif 000008